(57)【要約】【課題】ヘッドクリーニング機構を駆動するための専用のモータをなくし、低コストで省スペースを実現できる磁気記録再生装置を提供すること。【解決手段】テープカセット２内に収納されたテープの端部には結合素子８を有し、結合素子８をテープ引き出し素子４０によって引き出してドライブリール２０に巻き取る磁気記録再生装置であって、磁気ヘッド７をクリーニングするヘッドクリーニング機構部９０を備え、ヘッドクリーニング機構部９０が、ブラシ部を保持するヘッドブラシ部と、ヘッドブラシ部の位置を変更するカム機構部とを有し、テープ引き出し素子移動部材５０とローディングレバー３０とによってカム機構部を動作させることを特徴とする磁気記録再生装置。【選択図】        図１
2006085746.tif 000002
【特許請求の範囲】
【請求項１】
一端側をドライブリールに接続したリーダテープと、
前記リーダテープの他端側に接続したテープ引き出し素子と、
前記テープ引き出し素子をテープカセット内に移動させるテープ引き出し素子移動部材と、
前記テープ引き出し素子移動部材を動作させる引き出し素子移動用モータと、
前記テープカセットをカートリッジリールに移動させるカセットホルダーと、
前記カセットホルダーに連結されたローディングレバーと、
前記ローディングレバーを動作させるローディングモータと、
テープに対して記録再生を行う磁気ヘッドとを備え、
前記テープカセット内に収納された前記テープの端部には結合素子を有し、前記結合素子を前記テープ引き出し素子によって引き出して前記ドライブリールに巻き取る磁気記録再生装置であって、
前記磁気ヘッドをクリーニングするヘッドクリーニング機構部を備え、
前記ヘッドクリーニング機構部が、
ブラシ部を保持するヘッドブラシ部と、
前記ヘッドブラシ部の位置を変更するカム機構部とを有し、
前記テープ引き出し素子移動部材と前記ローディングレバーとによって前記カム機構部を動作させることを特徴とする磁気記録再生装置。
【請求項２】
前記テープ引き出し素子移動部材によって前記カム機構部を動作可能な状態に移動し、前記ローディングレバーによって前記ヘッドブラシ部の位置を変更することを特徴とする請求項１に記載の磁気記録再生装置。
【請求項３】
前記カム機構部が、前記テープ引き出し素子移動部材及び前記ローディングレバーと当接する第１のカム機構部と、前記ヘッドブラシ部を保持する第２のカム機構部とを有し、前記第１のカム機構部には第１のカム溝を形成し、前記テープ引き出し素子移動部材によって前記第１のカム溝を前記ローディングレバーの動作方向に変位させ、前記ローディングレバーによって前記第１のカム機構部とともに前記第２のカム機構部を移動させることを特徴とする請求項２に記載の磁気記録再生装置。
【請求項４】
前記カセットホルダーの側方に前記テープ引き出し素子移動部材を配置し、前記ローディングレバーを、前記テープ引き出し素子移動部材と同じ側の前記カセットホルダー側部に配置し、前記ヘッドクリーニング機構部を前記磁気ヘッドと前記ローディングレバーとの間に配置したことを特徴とする請求項１に記載の磁気記録再生装置。
【請求項５】
前記テープ引き出し素子移動部材の近傍から前記ドライブリールまでの間に前記テープ引き出し素子を案内する一対のトラック溝が形成され、一対の前記トラック溝の間に前記磁気ヘッドが配置され、一方の前記トラック溝を形成する部材に、前記ヘッドクリーニング機構部を設けたことを特徴とする請求項４に記載の磁気記録再生装置。
【請求項６】
前記ヘッドブラシ部には、複数のブラシ部を有し、少なくとも一つの前記ブラシ部は他の前記ブラシ部とブラシ方向を異ならせたことを特徴とする請求項１に記載の磁気記録再生装置。
【請求項７】
一方の前記ブラシ部のブラシ歯先と他方の前記ブラシ部のブラシ歯先とを離間する方向に傾けたことを特徴とする請求項６に記載の磁気記録再生装置。
【発明の詳細な説明】
【技術分野】
【０００１】
本発明は、テープを巻き付けるリールが一つであるシングルハブのテープカセットから、テープの端部を引き出してドライブリールに巻き付けて記録再生を行う磁気記録再生装置に関する。
【背景技術】
【０００２】
従来のこの種の磁気記録再生装置におけるヘッドクリーニング機構は、専用の駆動モータを用いることが多く、Ｌ型のアングルを旋回移動する方式などが提案されている（例えば特許文献１）。
【特許文献１】特開平１１−２９６８２７号公報（段落番号（００２２）（００２３）（００２４）、図２、図３）
【発明の開示】
【発明が解決しようとする課題】
【０００３】
しかし、上記従来の装置では、ヘッドクリーニング機構を駆動するための専用のモータが必要な上に、Ｌ型のアングルを旋回移動ためのスペースが必要となり、装置の小型化を図る上で問題となる。
【０００４】
そこで本発明は、ヘッドクリーニング機構を駆動するための専用のモータをなくし、低コストで省スペースを実現できる磁気記録再生装置を提供することを目的とする。
【課題を解決するための手段】
【０００５】
請求項１記載の本発明の磁気記録再生装置は、一端側をドライブリールに接続したリーダテープと、前記リーダテープの他端側に接続したテープ引き出し素子と、前記テープ引き出し素子をテープカセット内に移動させるテープ引き出し素子移動部材と、前記テープ引き出し素子移動部材を動作させる引き出し素子移動用モータと、前記テープカセットをカートリッジリールに移動させるカセットホルダーと、前記カセットホルダーに連結されたローディングレバーと、前記ローディングレバーを動作させるローディングモータと、テープに対して記録再生を行う磁気ヘッドとを備え、前記テープカセット内に収納された前記テープの端部には結合素子を有し、前記結合素子を前記テープ引き出し素子によって引き出して前記ドライブリールに巻き取る磁気記録再生装置であって、前記磁気ヘッドをクリーニングするヘッドクリーニング機構部を備え、前記ヘッドクリーニング機構部が、ブラシ部を保持するヘッドブラシ部と、前記ヘッドブラシ部の位置を変更するカム機構部とを有し、前記テープ引き出し素子移動部材と前記ローディングレバーとによって前記カム機構部を動作させることを特徴とする。
請求項２記載の本発明は、請求項１に記載の磁気記録再生装置において、前記テープ引き出し素子移動部材によって前記カム機構部を動作可能な状態に移動し、前記ローディングレバーによって前記ヘッドブラシ部の位置を変更することを特徴とする。
請求項３記載の本発明は、請求項２に記載の磁気記録再生装置において、前記カム機構部が、前記テープ引き出し素子移動部材及び前記ローディングレバーと当接する第１のカム機構部と、前記ヘッドブラシ部を保持する第２のカム機構部とを有し、前記第１のカム機構部には第１のカム溝を形成し、前記テープ引き出し素子移動部材によって前記第１のカム溝を前記ローディングレバーの動作方向に変位させ、前記ローディングレバーによって前記第１のカム機構部とともに前記第２のカム機構部を移動させることを特徴とする。
請求項４記載の本発明は、請求項１に記載の磁気記録再生装置において、前記カセットホルダーの側方に前記テープ引き出し素子移動部材を配置し、前記ローディングレバーを、前記テープ引き出し素子移動部材と同じ側の前記カセットホルダー側部に配置し、前記ヘッドクリーニング機構部を前記磁気ヘッドと前記ローディングレバーとの間に配置したことを特徴とする。
請求項５記載の本発明は、請求項４に記載の磁気記録再生装置において、前記テープ引き出し素子移動部材の近傍から前記ドライブリールまでの間に前記テープ引き出し素子を案内する一対のトラック溝が形成され、一対の前記トラック溝の間に前記磁気ヘッドが配置され、一方の前記トラック溝を形成する部材に、前記ヘッドクリーニング機構部を設けたことを特徴とする。
請求項６記載の本発明は、請求項１に記載の磁気記録再生装置において、前記ヘッドブラシ部には、複数のブラシ部を有し、少なくとも一つの前記ブラシ部は他の前記ブラシ部とブラシ方向を異ならせたことを特徴とする。
請求項７記載の本発明は、請求項６に記載の磁気記録再生装置において、一方の前記ブラシ部のブラシ歯先と他方の前記ブラシ部のブラシ歯先とを離間する方向に傾けたことを特徴とする。
【発明の効果】
【０００６】
本発明によれば、引き出し素子移動用モータとローディングモータとをヘッドクリーニング機構部の駆動源として兼用することができ、ヘッドクリーニング機構部を動作させるための専用の駆動源を削減でき、低コストで省スペースを実現できる。
【発明を実施するための最良の形態】
【０００７】
本発明の第１の実施の形態による磁気記録再生装置は、磁気ヘッドをクリーニングするヘッドクリーニング機構部を備え、ヘッドクリーニング機構部が、ブラシ部を保持するヘッドブラシ部と、ヘッドブラシ部の位置を変更するカム機構部とを有し、テープ引き出し素子移動部材とローディングレバーとによってカム機構部を動作させるものである。本実施の形態によれば、テープ引き出し素子をテープカセット内に移動させるテープ引き出し素子移動部材と、テープカセットをカートリッジリールに移動させるローディングレバーとを利用してヘッドクリーニング機構部を動作させるため、引き出し素子移動用モータとローディングモータとをヘッドクリーニング機構部の駆動源として兼用することができ、ヘッドクリーニング機構部を動作させるための専用の駆動源を削減でき、低コストで省スペースを実現できる。
本発明の第２の実施の形態は、第１の実施の形態による磁気記録再生装置において、テープ引き出し素子移動部材によってカム機構部を動作可能な状態に移動し、ローディングレバーによってヘッドブラシ部の位置を変更するものである。本実施の形態によれば、ヘッドクリーニング機構部の動作を、カム機構部を動作可能な状態への移動動作と、ヘッドブラシ部の位置を変更する動作との２段階に分け、それぞれの動作ごとに動作させる部材とモータとを機能分化することで、誤動作の少ない安定した動作を実現できる。
本発明の第３の実施の形態は、第２の実施の形態による磁気記録再生装置において、カム機構部が、テープ引き出し素子移動部材及びローディングレバーと当接する第１のカム機構部と、ヘッドブラシ部を保持する第２のカム機構部とを有し、第１のカム機構部には第１のカム溝を形成し、テープ引き出し素子移動部材によって第１のカム溝をローディングレバーの動作方向に変位させ、ローディングレバーによって第１のカム機構部とともに第２のカム機構部を移動させるものである。本実施の形態によれば、カム機構部も二つの部材によって構成し、２段階の動作をそれぞれのカム機構部側でも機能分化することで、誤動作の少ない安定した動作を実現できる。
本発明の第４の実施の形態は、第１の実施の形態による磁気記録再生装置において、カセットホルダーの側方にテープ引き出し素子移動部材を配置し、ローディングレバーを、テープ引き出し素子移動部材と同じ側のカセットホルダー側部に配置し、ヘッドクリーニング機構部を磁気ヘッドとローディングレバーとの間に配置したものである。本実施の形態によれば、ヘッドクリーニング機構部の一方にはローディングレバーとテープ引き出し素子移動部材が配置され、他方には磁気ヘッドが配置されることになるため、ヘッドクリーニング機構部の移動を、一方側から動作させることができる。従って、ローディングレバーとテープ引き出し素子移動部材との動作をヘッドクリーニング機構部に伝えやすい。
本発明の第５の実施の形態は、第４の実施の形態による磁気記録再生装置において、テープ引き出し素子移動部材の近傍からドライブリールまでの間にテープ引き出し素子を案内する一対のトラック溝が形成され、一対のトラック溝の間に磁気ヘッドが配置され、一方のトラック溝を形成する部材に、ヘッドクリーニング機構部を設けたものである。本実施の形態によれば、磁気ヘッドの近傍に設ける必要のある、トラック溝を形成する部材にヘッドクリーニング機構部を設けることで、ヘッドクリーニング機構部を設けるための専用の部材を省略でき、低コストで省スペースを実現できる。
本発明の第６の実施の形態は、第１の実施の形態による磁気記録再生装置において、ヘッドブラシ部には、複数のブラシ部を有し、少なくとも一つのブラシ部は他のブラシ部とブラシ方向を異ならせたものである。本実施の形態によれば、磁気ヘッドに対するブラシ部からの力の作用方向を異ならせることができるので、クリーニング能力を高めることができる。
本発明の第７の実施の形態は、第６の実施の形態による磁気記録再生装置において、一方のブラシ部のブラシ歯先と他方のブラシ部のブラシ歯先とを離間する方向に傾けたものである。本実施の形態によれば、一方のブラシ部はブラシ歯先を進行方向に作用させ、他方のブラシ部のブラシ歯先を進行方向と逆の方向に作用させることができるとともに、それぞれの作用を交互に行わせることができるため、異なる汚れや付着物に対して有効にクリーニングを行うことができる。
【実施例】
【０００８】
以下本発明の一実施例による磁気記録再生装置について説明する。
図１は本実施例による磁気記録再生装置の要部平面図である。
装置本体のベース１には、モータなどの回転手段を備えたカートリッジリール１０と、同じく回転手段を備えたドライブリール２０とを備えている。ベース１のカートリッジリール１０側には、テープカセット２を保持するとともにこのテープカセット２を移動させるカセットホルダー３が設けられている。また、ベース１のカートリッジリール１０側には、一対のレール４が配置され、カセットホルダー３は、この一対のレール４に沿って摺動可能に設けられている。
一方のレール４には、ローディングレバー３０が摺動自在に設けられている。このローディングレバー３０は、カセットホルダー３と連結されており、このローディングレバー３０の移動によってカセットホルダー３を動作させている。
ローディングレバー３０のベース１側の面には、ラック３１が連結されている。また、ローディングレバー３０の側方には、ローディングモータ３２と、このローディングモータ３２に連結されたギア３３が配置されている。ラック３１とギア３３は噛み合わされており、ローディングレバー３０は、ローディングモータ３２の回転によってレール４に沿って摺動する。
ローディング完了時点におけるテープカセット２の側方であって、テープカセット２の開閉扉（図示せず）の近傍には、テープ引き出し素子４０が配置されている。このテープ引き出し素子４０は、テープ引き出し素子移動部材５０によって保持され、テープ引き出し素子移動部材５０は、テープカセット２の開閉扉に対して近接離間する方向に設けた溝（図示せず）に係合している。ローディングレバー３０の側方であって、ローディングモータ３２とテープ引き出し素子４０との間の空間には、引き出し素子移動用モータ５１が配置されている。テープ引き出し素子移動部材５０は、図示しない歯車機構によって引き出し素子移動用モータ５１と接続されている。
【０００９】
テープ引き出し素子４０の近傍の位置からドライブリール２０のリールハブ２１までの間にトラック溝５が形成されている。図１においては、ベース１側のトラック溝５だけを示しているが、所定間隔あけて配置された部材（図示せず）にも同形状のトラック溝が形成され、一対のトラック溝５によってテープ引き出し素子４０を案内する構成となっている。トラック溝５の側方には、複数のローラ６と磁気ヘッド７が配置されている。また、図示の状態においては、トラック溝５に沿ってリーダテープ４１が配置されている。このリーダテープ４１は、その一端側がドライブリール２０に接続され、他端側がテープ引き出し素子４０に接続されている。
一方、ドライブリール２０は、リールフランジ２２を有しており、このリールフランジ２２の外周端にはフランジ溝２３を形成している。なお、図においては、ベース１側のリールフランジ２２だけを示しているが、一対のリールフランジ２２が、それぞれリールハブ２１の両端面に連結されている。リールハブ２１には、その外周の一部にハブ開口部２１Ａが形成され、このハブ開口部２１Ａをリーダテープ４１が通過する。また、このハブ開口部２１Ａには、テープ接合素子４０が嵌合する。ドライブリール２０は、その中心にモータなどの回転手段の回転を伝えるドライブ軸２４を備え、このドライブ軸２４は、ロック部材７０によって、テープスレッディングの動作時にはリールハブ２１及びリールフランジ２２との連結を解除され、記録再生運転時にはリールハブ２１及びリールフランジ２２と連結されるように構成されている。リールハブ２１の端面には磁石保持部材２５が設けられ、この磁石保持部材２５によって、リールハブ２１内部の、ハブ開口部２１Ａ近傍に磁石２５Ａが配設されている。
ベース１側のリールフランジ２２の外周側には、ロックモータ６０と、このロックモータ６０の駆動によってフランジ溝２３内に移動するピン６１が配置されている。
なお、磁気ヘッド７とローディングレバー３０との間には、ヘッドクリーニング機構部９０が配置されている。従って、ヘッドクリーニング機構部９０の一方には、ローディングレバー３０とテープ引き出し素子移動部材５０が配置されることになり、ヘッドクリーニング機構部９０の移動を、一方側から動作させることができる。このヘッドクリーニング機構部９０は、ベース１側ではないトラック溝５を形成する部材（図示せず）に設けている。また、ヘッドクリーニング機構部９０は、テープ引き出し素子４０をテープカセット２内に移動させるテープ引き出し素子移動部材５０と、テープカセット２をカートリッジリール１０に移動させるローディングレバー３０とを利用して動作させる構成となっている。
【００１０】
次に、図２を用いてテープ引き出し素子移動部材５０周辺の構成についてさらに詳細に説明する。
まず、テープ引き出し素子４０は、凹部４２Ａを形成した第１の部材４２と、第１の部材４２に対して変位可能に連結された第２の部材４３とを有している。第１の部材４２の一端側には第２の部材４３を回動させる回動軸４４を有し、凹部４２Ａは、第１の部材４２の他端側端部に形成している。なお、回動軸４４の両端部は、トラック溝５内を摺動可能に突出して構成している。第２の部材４３には凹部４３Ａが形成され、第１の部材４２の凹部４２Ａと第２の部材４３の凹部４３Ａとによって、閉空間を形成するように構成されている。
テープ引き出し素子移動部材５０は、回動軸４４を係合する回動軸用凹部５２を有し、テープ引き出し素子移動部材５０の所定の位置では、この回動軸用凹部５２はトラック溝５の端部と連続するように形成されている。テープ引き出し素子移動部材５０は、押圧部材５３と支持部材５４とを備えている。押圧部材５３は、一端側に第２の部材４３の回動軸４４側を押圧する押圧リブ５３Ａと、他端側にこの押圧リブ５３Ａの回動支点となる軸５３Ｂと、中間位置にローラピン５３Ｃとを有している。支持部材５４は、第1の部材４２を支持しており、押圧リブ５３Ａで押圧したときのテープ引き出し素子４０の回転を防止している。また、支持部材５４の下面にはピンを有しており、このピンが溝内を摺動することで、テープ引き出し素子移動部材５０がテープ２に対して近接離間する方向に移動する際のガイド機能を果たしている。更にテープ引き出し素子移動部材５０がテープ２から最も離間する位置では、支持部材５４は所定角度半時計方向に回動することでテープ引き出し素子４０を半時計方向に回動し、テープ引き出し素子４０の溝５への移動をスムーズに行わせている。
【００１１】
テープ引き出し素子移動部材５０とローディングレバー３０との間には、ガイダー５５が配置されている。このガイダー５５は、テープ引き出し素子移動部材５０側の辺に、ローラピン５３Ｃの動きを規制するガイド面５５Ａを形成し、回転軸５５Ｂを中心にして所定角度回動自在に設けている。ガイダー５５は弾性部材５５Ｄによってローディングレバー３０側に付勢されている。
一方、ローディングレバー３０のガイダー５５側端部には、押圧部材３４を設けている。ローディングレバー３０がテープ引き出し素子移動部材５０側に移動することによって、この押圧部材３４が弾性部材５５Ｄを押圧する。押圧部材３４によって弾性部材５５Ｄを押圧することで、ガイダー５５の自由端はテープ引き出し素子移動部材５０側に移動する。
【００１２】
以下に図１から図８を用いてテープスレッディング動作について説明する。
図１はテープカセット２のローディング前の状態を示している。
本装置は、カセットホルダー３へのテープカセット２の挿入を検出すると、ローディングモータ３２が回転を始める。ローディングモータ３２の回転は、ギア３３、ラック３１によってローディングレバー３０に伝達され、ローディングレバー３０がテープ引き出し素子４０の方向に移動する。カセットホルダー３は、ローディングレバー３０とともに移動する。テープカセット２がカートリッジリール１０の上方位置まで移動すると、カセットホルダー３の一部は、テープカセット２をベース１側に移動させ、テープカセット２の裏面に設けた駆動歯（図示せず）をカートリッジリール１０に係合させる。
【００１３】
テープカセット２をカートリッジリール１０に係合させることで、ローディング動作は終了する。この状態におけるローディングレバー３０の位置を図２に示している。なお、テープカセット２のローディングが終了した状態では、テープカセット２の扉は開状態となっている。また、テープカセット２内に収納されたテープの端部には結合素子（図示しない）が設けられているが、この結合素子は扉の近傍にガイドされている。
【００１４】
ローディングレバー３０は、テープカセット２のローディング完了時点を示す図２の状態からさらに図３の位置まで移動する。ローディングモータ３２は、ローディングレバー３０を図３の位置まで移動させて停止する。
図３の状態では、ローディングレバー３０の押圧部材３４によって弾性部材５５Ｄを押し込み、ガイダー５５の自由端はテープ引き出し素子移動部材５０側に移動する。このガイダー５５の移動によって、ガイド面５５Ａによるローラピン５３Ｃの位置規制が行われる。
図３の状態から、引き出し素子移動用モータ５１が駆動を始める。引き出し素子移動用モータ５１の駆動によって、テープ引き出し素子移動部材５０がテープカセット２側に移動する。
テープ引き出し素子移動部材５０の移動によって、ローラピン５３Ｃはガイド面５５Ａにそって移動する。ローラピン５３Ｃがテープカセット２側に近づくにつれて、ガイド面５５Ａはテープ引き出し素子移動部材５０側に近づいているので、ローラピン５３Ｃはテープ引き出し素子移動部材５０側に近づく。このローラピン５３Ｃの変位によって、押圧リブ５３Ａはテープ引き出し素子４０の方向に移動する。そして、押圧リブ５３Ａは、第２の部材４３の側部を押圧する。この押圧リブ５３Ａによる第２の部材４３の押圧によって、第２の部材４３は、回動軸４４を中心に回動する。そして、第２の部材４３の凹部４３Ａは、第１の部材４２の凹部４２Ａから離れる方向に移動し、凹部４２Ａは開放される。
【００１５】
引き出し素子移動用モータ５１は、テープ引き出し素子４０の第１の部材４２の凹部４２Ａがテープカセット２内に挿入されるまでテープ引き出し素子移動部材５０を移動して停止する。図４はこの状態を示している。
図４の状態においては、第１の部材４２の凹部４２Ａが結合素子８に当接している。
図４の状態から、まずローディングモータ３２が逆回転により駆動され、ローディングレバー３０が後退する。ローディングレバー３０の後退によって、ローディングレバー３０の押圧部材３４によるガイダー５５への押圧力は解除される。従って、ガイダー５５の自由端はローディングレバー３０側に移動するため、押圧リブ５３Ａによる第２の部材４３への押圧は解除される。押圧リブ５３Ａによる第２の部材４３への押圧が解除されるため、第２の部材４３は、回動軸４４を中心に回動し、第２の部材４３の凹部４３Ａは、第１の部材４２の凹部４２Ａに近接する方向に移動し、そして凹部４２Ａは閉塞される。次に引き出し素子移動用モータ５１は、逆回転による駆動を始める。引き出し素子移動用モータ５１を逆回転させることで、テープ引き出し素子移動部材５０は、テープカセット２から離間する方向に移動を開始する。
【００１６】
従って、結合素子８は、第１の部材４２の凹部４２Ａと第２の部材４３の凹部４３Ａとによって形成される閉空間に配置される。すなわち、結合素子８は、第１の部材４２の凹部４２Ａと第２の部材４３の凹部４３Ａとによって挟み込まれ保持される。図５はこの状態を示している。
図５の状態から、更に引き出し素子移動用モータ５１は、逆回転による駆動を継続する。引き出し素子移動用モータ５１の逆回転による駆動を継続することで、テープ引き出し素子移動部材５０は、更にテープカセット２から離間する方向に移動する。
【００１７】
図６及び図７は、テープ引き出し素子移動部材５０のテープカセット２から離間する方向への移動が終了した状態を示している。図６に示すように、結合素子８とともにテープカセット２内に収納されているテープ９が引き出される。テープ引き出し素子移動部材５０のテープカセット２から離間する方向への移動が終了した状態では、回動軸用凹部５２はトラック溝５の端部と連続する位置にあり、この位置では、支持部材５４が所定角度半時計方向に回動することでテープ引き出し素子４０を半時計方向に回動し、テープ引き出し素子４０の溝５への移動をスムーズに行わせる。
図６及び図７に示す状態から、テープスレッディング動作を開始する。
テープスレッディング動作は、ドライブリール２０を回転させることによって行う。なお、テープスレッディング動作時には、リールハブ２１は、ドライブリール２０の駆動系統から切り離されるとともに、ピン６１によって回転を規制されている。
【００１８】
ドライブリール２０の回転によって、リーダテープ４１がドライブリール２０の駆動軸に巻き取られる。リーダテープ４１のドライブリール２０の駆動軸への巻き取り動作によって、テープ引き出し素子４０は、リーダテープ４１によって引っ張られる。従って、テープ引き出し素子４０の回動軸４４の両端部は、回動軸用凹部５２からトラック溝５に移動し、トラック溝５内を摺動する。図８はこの状態を示している。
図８では、テープ引き出し素子４０Ａは、回動軸４４が回動軸用凹部５２からトラック溝５に移動した状態を示し、テープ引き出し素子４０Ｂは、トラック溝５の途中段階まで移動した状態を示し、テープ引き出し素子４０Ｃは、ドライブリール２０のリールハブ２１近傍に移動した状態を示している。テープ引き出し素子が、テープ引き出し素子４０Ａ、テープ引き出し素子４０Ｂ、テープ引き出し素子４０Ｃのように順次移動することで、テープカセット２内に収納されているテープ９は引き出され、リールハブ２１まで導出することができる。
そして、リーダテープ４１がリールハブ２１内に巻き取られると、テープ引き出し素子４０はハブ開口部２１Ａ内に引き込まれる。ハブ開口部２１Ａ内に引き込まれたテープ引き出し素子４０は、磁石２５Ａに引きつけられることで、リーダテープ４１の巻き取りは終了する。この状態では、テープ引き出し素子４０はハブ開口部２１Ａを閉塞し、テープ引き出し素子４０の終端面、すなわち結合素子８装着側端面がリールハブ２１外周面と連続するように配置される。
以上の動作は、ドライブ軸２４の正回転によって行われるが、テープ引き出し素子４０がハブ開口部２１Ａを閉塞したことを検知するとドライブ軸２４の回転は停止される。そしてドライブ軸２４を所定の角度だけ逆回転させることで、ロック部材７０を動作させ、ドライブ軸２４はリールハブ２１及びリールフランジ２２と連結される。
ドライブ軸２４がリールハブ２１及びリールフランジ２２と連結されると、ロックモータ６０が動作してピン６１をフランジ溝２２から後退させる。
以上の動作によってテープスレッディング動作が完了する。
【００１９】
次に、図９から図１３を用いて本実施例によるヘッドクリーニング機構部を説明する。
図９は同ヘッドクリーニング機構部の斜視図、図１０は同ヘッドクリーニング機構部の待機状態を示す要部平面図、図１１は同ヘッドクリーニング機構部の第１段階の動作状態を示す要部平面図、図１２は同ヘッドクリーニング機構部の第２段階の動作状態を示す要部平面図、図１３は同ヘッドクリーニング機構部の第３段階の動作状態を示す要部平面図、図１４は図３の状態における同ヘッドクリーニング機構部の位置を示す要部平面図である。なお、図１０から図１４においては、動作説明に用いない部材の一部は、図面から省略している。
図９に示すように、ヘッドクリーニング機構部９０は、第１カム部材９１と第２カム部材９２とをカムベース９３に対して変位可能に設けている。第１カム部材９１と第２カム部材９２とは、係合ピン９４によって係合し、第１バネ９５は第１カム部材９１とカムベース９３とを連結し、第２バネ９６は第１カム部材９１と第２カム部材９２とを連結している。ヘッドブラシ部９７は、第２カム部材９２の端部に設けられている。
第１カム部材９１は、第１カム溝９１Ａを有しており、カムベース９３に設けている第１カムピン９１Ｂは第１カム溝９１Ａの溝内に配置されている。また、第１カム部材９１のローディングレバー３０側の端部には、テープ引き出し素子移動部材５０の突起５０Ａと当接する移動部材当接部９１Ｃと、ローディングレバー３０の端部３０Ａと当接するレバー当接部９１Ｄを形成している。一方、第２カム部材９２は、第２カム溝９２Ａを有しており、カムベース９３に設けている第２カムピン９２Ｂは第２カム溝９２Ａの溝内に配置されている。また、ヘッドブラシ部９７は、一つのブラシ部９７Ａを他のブラシ部９７Ｂとブラシ方向を異ならせており、一方のブラシ部９７Ａのブラシ歯先と他方のブラシ部９７Ｂのブラシ歯先とを離間する方向に傾けている。なお、ヘッドブラシ部９７、ブラシ部９７Ａ、及びブラシ部９７Ｂは、帯電防止材を使用している。ヘッドブラシ部９７の外側には、リーダテープ４１が常に位置しており、ヘッドクリーニング機構９０が移動する際には、リーダテープ４１を押しのけながら移動する。従って、ヘッドブラシ部９７に帯電防止材を使用することで、リーダテープ４１との摩擦で静電気が発生し、磁気ヘッド７の静電破壊を防止することができる。また、ブラシ部９７Ａ、９７Ｂも帯電防止材を使用しているために、ブラシ部９７Ａ、９７Ｂがヘッドクリーニング機構部９０の移動時に磁気ヘッド７と当接する際と、磁気ヘッド７が上下してクリーニングする際の摩擦による静電気発生はなく、磁気ヘッド７が静電破壊されることを防止できる。
【００２０】
次に図１０から図１３を用いて同ヘッドクリーニング機構部の動作について説明する。
まず、ヘッドクリーニング動作を行わない場合、又はヘッドクリーニング動作をスタートさせる前段階におけるヘッドクリーニング機構部９０の状態を図１０に示す。
図１０に示す状態では、第１のカム部材９１及び第２のカム部材９２は、第１カム溝９１Ａ及び第２カム溝９２Ａの溝方向が、ローディングレバー３０の移動方向と一致しない方向となるように規制されている。すなわち、第１のカム部材９１は、ローディングレバー３０側の一端側端部が時計方向に所定角度回動して傾き、第２のカム部材９２は、ローディングレバー３０側の一端側端部が反時計方向に所定角度回動して傾いている。また、第１のカム部材９１は、第１カムピン９１Ｂが第１カム溝９１Ａの他端側に位置するように配置され、第２のカム部材９２は、第２カムピン９２Ｂが第２カム溝９２Ａの他端側に位置するように配置されている。すなわち、第１のカム部材９１及び第２のカム部材９２は、カムベース９３に対して最もローディングレバー３０側に近づいた位置に規制されている。
【００２１】
ヘッドクリーニング機構部９０の第１段階の動作終了状態を図１１に示す。
図１１においては、テープ引き出し素子移動部材５０がカセットホルダー３側から離間する方向に所定距離動作している。このテープ引き出し素子移動部材５０の動作は、引き出し素子移動用モータ５１によって行われる。このテープ引き出し素子移動部材５０の動作によって、テープ引き出し素子移動部材５０の突起５０Ａと当接している移動部材当接部９１Ｃが同方向に移動し、第１のカム部材９１は、第１カムピン９１Ｂを軸として反時計方向に所定角度回動し、第１カム溝９１Ａの溝方向がローディングレバー３０の移動方向と一致する方向となる。
【００２２】
図１１の状態から、次にローディングレバー３０がヘッドクリーニング機構部９０に近接する方向に所定距離動作すると、図１２の状態となる。このローディングレバー３０の動作は、ローディングモータ３２によって行われる。このローディングレバー３０の動作によって、ローディングレバー３０の端部３０Ａと当接しているレバー当接部９１Ｄが磁気ヘッド７の方向に移動する。レバー当接部９１Ｄの移動によって、まず第１のカム部材９１が磁気ヘッド７側に移動する。第１のカム部材９１が磁気ヘッド７側に所定距離だけ移動すると、係合ピン９４と第１のカム部材９１との係合によって第２カム部材９２には、第２カムピン９２Ｂを軸として時計方向に所定角度回動する。第２カム部材９２は、この時計方向への回動によって、第２カム溝９２Ａの溝方向がローディングレバー３０の移動方向と同一の方向となる。
【００２３】
図１２の状態から、更にローディングレバー３０が同方向（磁気ヘッド７に近接する方向）に所定距離動作することで図１３の状態となる。すなわち、ローディングレバー３０の動作によって、ローディングレバー３０の端部３０Ａと当接しているレバー当接部９１Ｄが磁気ヘッド７の方向に更に移動することで、第１のカム部材９１及び第２のカム部材９２は、共に磁気ヘッド７側に移動する。それによって第２のカム部材９２の端部に設けているヘッドブラシ部９７は、磁気ヘッド７に当接する。し、ヘッドブラシ部９７を磁気ヘッド７に当接した状態で、磁気ヘッド７の方を動作させる。
この種の装置においては、テープに構成される複数のトラックに磁気ヘッド７を適合させるために、磁気ヘッド７はテープの幅方向に移動可能な構成になっている。本実施例のヘッドクリーニングは、ヘッドブラシ部９７を固定した状態で磁気ヘッド７をテープの幅方向に複数回移動させる動作によって行われる。
【００２４】
次に、図１４を用いてヘッドクリーニング動作を行わない状態におけるヘッドクリーニング機構部９０と他の部材との位置関係について説明する。
図１４は、図３に示すようにテープ９端部の結合素子８をテープ引き出し素子４０によって引き出し動作を行う前段階の状態を示している。
この状態では、ローディングレバー３０は、ヘッドクリーニング機構部９０の配設位置まで移動している。しかし図１１に示すように、第１のカム部材９１及び第２のカム部材９２は、第１カム溝９１Ａ及び第２カム溝９２Ａの溝方向が、ローディングレバー３０の移動方向と一致しない方向となるように規制されている。従って、ローディングレバー３０の端部３０Ａは、第１のカム部材９１と第２のカム部材９２との間に位置し、レバー当接部９１Ｄとは当接しない位置関係となる。なお、第１のカム部材９１は、テープ引き出し素子移動部材５０とローディングレバー３０との間に形成した空間に位置している。
【００２５】
本実施例によれば、テープ引き出し素子４０をテープカセット２内に移動させるテープ引き出し素子移動部材５０と、テープカセット２をカートリッジリール１０に移動させるローディングレバー３０とを利用してヘッドクリーニング機構部９０を動作させるため、引き出し素子移動用モータ５１とローディングモータ３２とをヘッドクリーニング機構部９０の駆動源として兼用することができる。
また本実施例によれば、ヘッドクリーニング機構部９０の動作を、カム機構部９１、９２を動作可能な状態への移動動作と、ヘッドブラシ部９７の位置を変更する動作との２段階に分け、それぞれの動作ごとに動作させる部材とモータとを機能分化することで、誤動作の少ない安定した動作を実現できる。
また本実施例によれば、カム機構部も二つの部材９１、９２によって構成し、２段階の動作をそれぞれのカム機構部９１、９２側でも機能分化することで、誤動作の少ない安定した動作を実現できる。
また本実施例によれば、ヘッドクリーニング機構部９０の一方にはローディングレバー３０とテープ引き出し素子移動部材５０が配置され、他方には磁気ヘッド７が配置されることになるため、ヘッドクリーニング機構部９０の移動を、一方側から動作させることができる。従って、ローディングレバー３０とテープ引き出し素子移動部材５０との動作をヘッドクリーニング機構部９０に伝えやすい。
また本実施例によれば、トラック溝５を形成する部材にヘッドクリーニング機構部９０を設けることで、ヘッドクリーニング機構部９０を設けるための専用の部材を省略でき、低コストで省スペースを実現できる。
また本実施例によれば、一方のブラシ部９７Ａはブラシ歯先を進行方向に作用させ、他方のブラシ部９７Ｂのブラシ歯先を進行方向と逆の方向に作用させることができるとともに、それぞれの作用を交互に行わせることができるため、異なる汚れや付着物に対して有効にクリーニングを行うことができる。
【産業上の利用可能性】
【００２６】
本発明の磁気記録再生装置及びそのテープ引き出し素子は、リニアテープオープン方式などの装置に適しており、これらの装置は、ネットワーク用のテープストレージとして特に有用である。
【図面の簡単な説明】
【００２７】
【図１】本発明の一実施例による磁気記録再生装置の要部平面図
【図２】同装置の要部平面図
【図３】同装置の要部平面図
【図４】同装置の要部平面図
【図５】同装置の要部平面図
【図６】同装置の要部平面図
【図７】同装置の要部平面図
【図８】同装置の要部平面図
【図９】本実施例によるヘッドクリーニング機構部の斜視図
【図１０】同ヘッドクリーニング機構部の待機状態を示す要部平面図
【図１１】同ヘッドクリーニング機構部の第１段階の動作状態を示す要部平面図
【図１２】同ヘッドクリーニング機構部の第２段階の動作状態を示す要部平面図
【図１３】同ヘッドクリーニング機構部の第３段階の動作状態を示す要部平面図
【図１４】図３の状態における同ヘッドクリーニング機構部の位置を示す要部平面図
【符号の説明】
【００２８】
２  テープカセット
５  トラック溝
２０  ドライブリール
３０  ローディングレバー
３２  ローディングモータ
４０  テープ引き出し素子
４１  リーダテープ
５０  テープ引き出し素子移動部材
５１  引き出し素子移動用モータ
９０  ヘッドクリーニング機構部
９１  第１カム部材
９１Ａ  第１カム溝
９２  第２カム部材
９２Ａ  第２カム溝
９７  ヘッドブラシ部
９７Ａ  ブラシ部
９７Ｂ  ブラシ部
【図１】
2006085746.tif 000003
【図２】
2006085746.tif 000004
【図３】
2006085746.tif 000005
【図４】
2006085746.tif 000006
【図５】
2006085746.tif 000007
【図６】
2006085746.tif 000008
【図７】
2006085746.tif 000009
【図８】
2006085746.tif 000010
【図９】
2006085746.tif 000011
【図１０】
2006085746.tif 000012
【図１１】
2006085746.tif 000013
【図１２】
2006085746.tif 000014
【図１３】
2006085746.tif 000015
【図１４】
2006085746.tif 000016